(57)【要約】  ＣＳＩ−ＲＳを構成し使用するための、方法、無線デバイス及びネットワークノードが開示される。ある実施形態によれば、方法は、チャネル状態情報参照信号（ＣＳＩ−ＲＳ）リソースのインジケーションを無線デバイスに送信することを含み、当該インジケーションは、ＣＳＩシグナリングのために無線デバイスによって使用されるように構成された複数のＣＳＩ−ＲＳリソース内の１以上のＣＳＩ−ＲＳリソースを示す。【選択図】図１２
2019533931.tif 000002
【特許請求の範囲】
【請求項１】
ネットワークノード（１４）における方法であって、
チャネル状態情報参照信号（ＣＳＩ−ＲＳ）リソースのインジケーションを無線デバイス（１６）に送信すること（Ｓ１００）であって、該インジケーションは、ＣＳＩシグナリングのために前記無線デバイスによって使用されるように構成された複数のＣＳＩ−ＲＳリソース内の１以上のＣＳＩ−ＲＳリソースを示す、前記送信すること（Ｓ１００）
を含む方法。
【請求項２】
ＣＳＩシグナリングのために前記無線デバイス（１６）によって使用されるように構成された前記複数のＣＳＩ−ＲＳリソースは、より上位のレイヤを介して構成される
請求項１に記載の方法。
【請求項３】
前記インジケーションは動的に送信される
請求項１に記載の方法。
【請求項４】
前記インジケーションは、ダウンリンク制御情報（ＤＣＩ）および媒体アクセス制御制御要素（ＭＡＣ  ＣＥ）シグナリングのうちの１つとともに送信される
請求項１乃至３の何れか１項に記載の方法。
【請求項５】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項１乃至３の何れか１項に記載の方法。
【請求項６】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項１乃至３の何れか１項に記載の方法。
【請求項７】
前記無線デバイス（１６）に対して、異なるリソース要素の集合体の複数の異なるインジケーションが構成される
請求項５又は６に記載の方法。
【請求項８】
少なくとも２つの異なるリソース要素の集合体は、共通の少なくとも１ペアのＣＳＩ−ＲＳリソースを共有する
請求項５又は６に記載の方法。
【請求項９】
多数のリソースセットが、Ｎ個のＣＳＩ−ＲＳリソースのプールから構成される
請求項１乃至８の何れか１項に記載の方法。
【請求項１０】
報告設定は、ＣＳＩ−ＲＳリソースのセットに適用可能なリソース設定に基づく
請求項１乃至８の何れか１項に記載の方法。
【請求項１１】
ネットワークノード（１４）であって、
チャネル状態情報参照信号（ＣＳＩ−ＲＳ）リソースのインジケーションを無線デバイス（１６）に送信するように構成された送受信機（２８）であって、該インジケーションは、ＣＳＩシグナリングのために前記無線デバイス（１６）によって使用されるように構成された複数のＣＳＩ−ＲＳリソース内の１以上のＣＳＩ−ＲＳリソースを示す、前記送受信機（２８）
を有するネットワークノード（１４）。
【請求項１２】
ＣＳＩシグナリングのために前記無線デバイス（１６）によって使用されるように構成された前記複数のＣＳＩ−ＲＳリソースは、より上位のレイヤを介して構成される
請求項１１に記載のネットワークノード（１４）。
【請求項１３】
前記インジケーションは動的に送信される
請求項１１に記載のネットワークノード（１４）。
【請求項１４】
前記インジケーションは、ダウンリンク制御情報（ＤＣＩ）および媒体アクセス制御制御要素（ＭＡＣ  ＣＥ）シグナリングのうちの１つとともに送信される
請求項１１乃至１３の何れか１項に記載のネットワークノード（１４）。
【請求項１５】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項１１乃至１３の何れか１項に記載のネットワークノード（１４）。
【請求項１６】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項１１乃至１３の何れか１項に記載のネットワークノード（１４）。
【請求項１７】
前記無線デバイス（１６）に対して、異なるリソース要素の集合体の複数の異なるインジケーションが構成される
請求項１５又は１６に記載のネットワークノード（１４）。
【請求項１８】
少なくとも２つの異なるリソース要素の集合体は、共通の少なくとも１ペアのＣＳＩ−ＲＳリソースを共有する
請求項１５又は１６に記載のネットワークノード（１４）。
【請求項１９】
多数のリソースセットが、Ｎ個のＣＳＩ−ＲＳリソースのプールから構成される
請求項１１乃至１８の何れか１項に記載のネットワークノード（１４）。
【請求項２０】
報告設定は、ＣＳＩ−ＲＳリソースのセットに適用可能なリソース設定に基づく
請求項１１乃至１９の何れか１項に記載のネットワークノード（１４）。
【請求項２１】
ネットワークノード（１４）であって、
チャネル状態情報参照信号（ＣＳＩ−ＲＳ）リソースのインジケーションを無線デバイス（１６）に送信するように構成された送受信モジュール（２９）であって、該インジケーションは、ＣＳＩシグナリングのために前記無線デバイス（１６）によって使用されるように構成された複数のＣＳＩ−ＲＳリソース内の１以上のＣＳＩ−ＲＳリソースを示す、前記送受信モジュール（２９）
を有するネットワークノード（１４）。
【請求項２２】
チャネル状態情報参照信号（ＣＳＩ−ＲＳ）を構成する、ネットワークノード（１４）における方法であって、
少なくとも２つのＣＳＩ−ＲＳリソースを含む、ＣＳＩ−ＲＳリソース要素のセットを決定すること（Ｓ１０２）と、
複数のＣＳＩ−ＲＳリソース要素を１つのリソースプール内のリソースに集約すること（Ｓ１０４）と、
を含む方法。
【請求項２３】
ＣＳＩシグナリングのために無線デバイス（１６）によって使用されるように構成された前記複数のＣＳＩ−ＲＳリソース要素は、より上位のレイヤを介して構成される
請求項２２に記載の方法。
【請求項２４】
ＣＳＩ−ＲＳリソース要素の集合体を無線デバイス（１６）に示すことを更に含む
請求項２２に記載の方法。
【請求項２５】
前記示すことは、動的なシグナリングによる
請求項２４に記載の方法。
【請求項２６】
前記示すことは、ダウンリンク制御情報（ＤＣＩ）による
請求項２４に記載の方法。
【請求項２７】
ＣＳＩ−ＲＳリソース要素の前記セットはセル固有のビーム掃引のために複数の無線デバイス（１６）をサポートし、それによって該複数の無線デバイス（１６）は同じビームを測定する
請求項２２乃至２６の何れか１項に記載の方法。
【請求項２８】
異なる無線デバイス（１６）の各々が異なるビーム上でチャネルを測定することを可能にするために、ＣＳＩ−ＲＳリソース要素の異なるセットが前記異なる無線デバイス（１６）に示される
請求項２２乃至２６の何れか１項に記載の方法。
【請求項２９】
チャネル状態情報参照信号（ＣＳＩ−ＲＳ）を構成するネットワークノード（１４）であって、
少なくとも２つのＣＳＩ−ＲＳリソースを含む、ＣＳＩ−ＲＳリソース要素のセットを決定し、
複数のＣＳＩ−ＲＳリソース要素を１つのリソースプール内のリソースに集約する、
ように構成された処理回路（２２）
を有するネットワークノード（１４）。
【請求項３０】
ＣＳＩシグナリングのために無線デバイス（１６）によって使用されるように構成された前記複数のＣＳＩ−ＲＳリソース要素は、より上位のレイヤを介して構成される
請求項２９に記載のネットワークノード（１４）。
【請求項３１】
ＣＳＩ−ＲＳリソース要素の集合体を無線デバイス（１６）に示すことを更に有する
請求項３０に記載のネットワークノード（１４）。
【請求項３２】
前記示すことは、動的なシグナリングによる
請求項３１に記載のネットワークノード（１４）。
【請求項３３】
前記示すことは、ダウンリンク制御情報（ＤＣＩ）による
請求項３１又は３２に記載のネットワークノード（１４）。
【請求項３４】
ＣＳＩ−ＲＳリソース要素の前記セットはセル固有のビーム掃引のために複数の無線デバイス（１６）をサポートし、それによって該複数の無線デバイス（１６）は同じビームを測定する
請求項２９乃至３３の何れか１項に記載のネットワークノード（１４）。
【請求項３５】
異なる無線デバイス（１６）の各々が異なるビーム上でチャネルを測定することを可能にするために、ＣＳＩ−ＲＳリソース要素の異なるセットが前記異なる無線デバイス（１６）に示される
請求項２９乃至３３の何れか１項に記載のネットワークノード（１４）。
【請求項３６】
チャネル状態情報参照信号（ＣＳＩ−ＲＳ）を構成するネットワークノード（１４）であって、
少なくとも２つのＣＳＩ−ＲＳリソースを含む、ＣＳＩ−ＲＳリソース要素のセットを決定するように構成されたＣＳＩ−ＲＳリソースプール決定モジュール（１９）と、
複数のＣＳＩ−ＲＳリソース要素を１つのリソースプール内のリソースに集約するように構成された集約モジュール（２１）と、
を有するネットワークノード（１４）。
【請求項３７】
無線デバイス（１６）における方法であって、
チャネル状態情報参照信号（ＣＳＩ−ＲＳ）リソースのインジケーションを受信すること（Ｓ１０６）であって、該インジケーションは、ＣＳＩシグナリングのために前記無線デバイス（１６）によって使用されるように構成された複数のＣＳＩ−ＲＳリソース内の１以上のＣＳＩ−ＲＳリソースを示す、前記受信すること（Ｓ１０６）と、
少なくとも１つのＣＳＩリソース上でＣＳＩシグナリングを実行すること（Ｓ１０８）と、
を含む方法。
【請求項３８】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項３７に記載の方法。
【請求項３９】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項３７に記載の方法。
【請求項４０】
無線デバイス（１６）であって、
チャネル状態情報参照信号（ＣＳＩ−ＲＳ）リソースのインジケーションを受信し、該インジケーションは、ＣＳＩシグナリングのために前記無線デバイス（１６）によって使用されるように構成された複数のＣＳＩ−ＲＳリソース内の１以上のＣＳＩ−ＲＳリソースを示し、
少なくとも１つのＣＳＩリソース上でＣＳＩシグナリングを実行する、
ように構成された送受信機（４８）
を有する無線デバイス（１６）。
【請求項４１】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項４０に記載の無線デバイス（１６）。
【請求項４２】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項４０に記載の無線デバイス（１６）。
【請求項４３】
無線デバイス（１６）であって、
チャネル状態情報参照信号（ＣＳＩ−ＲＳ）リソースのインジケーションを受信し、該インジケーションは、ＣＳＩシグナリングのために前記無線デバイス（１６）によって使用されるように構成された複数のＣＳＩ−ＲＳリソース内の１以上のＣＳＩ−ＲＳリソースを示し、
少なくとも１つのＣＳＩリソース上でＣＳＩシグナリングを実行する、
ように構成された送受信モジュール（４９）
を有する無線デバイス（１６）。
【請求項４４】
基地局（１４）における方法であって、
チャネル状態情報参照信号（ＣＳＩ−ＲＳ）リソースのインジケーションをユーザ装置（１６）に送信すること（Ｓ１００）であって、該インジケーションは、ＣＳＩシグナリングのために前記ユーザ装置（１６）によって使用されるように構成された複数のＣＳＩ−ＲＳリソース内の１以上のＣＳＩ−ＲＳリソースを示す、前記送信すること
を含む方法。
【請求項４５】
基地局（１４）であって、
チャネル状態情報参照信号（ＣＳＩ−ＲＳ）リソースのインジケーションをユーザ装置（１６）に送信するように構成された送受信機（２８）であって、該インジケーションは、ＣＳＩシグナリングのために前記ユーザ装置（１６）によって使用されるように構成された複数のＣＳＩ−ＲＳリソース内の１以上のＣＳＩ−ＲＳリソースを示す、前記送受信機（２８）
を有する基地局（１４）。
【請求項４６】
チャネル状態情報参照信号（ＣＳＩ−ＲＳ）を構成する、基地局（１４）における方法であって、
少なくとも２つのＣＳＩ−ＲＳリソースを含む、ＣＳＩ−ＲＳリソース要素のセットを決定することと、
複数のＣＳＩ−ＲＳリソース要素を１つのリソースプール内のリソースに集約することと、
を含む方法。
【請求項４７】
チャネル状態情報参照信号（ＣＳＩ−ＲＳ）を構成する基地局（１４）であって、
少なくとも２つのＣＳＩ−ＲＳリソースを含む、ＣＳＩ−ＲＳリソース要素のセットを決定し、
複数のＣＳＩ−ＲＳリソース要素を１つのリソースプール内のリソースに集約する、
ように構成された処理回路（２２）
を有する基地局（１４）。
【請求項４８】
ユーザ装置（１６）における方法であって、
チャネル状態情報参照信号（ＣＳＩ−ＲＳ）リソースのインジケーションを受信すること（Ｓ１０６）であって、該インジケーションは、ＣＳＩシグナリングのために前記ユーザ装置によって使用されるように構成された複数のＣＳＩ−ＲＳリソース内の１以上のＣＳＩ−ＲＳリソースを示す、前記受信すること（Ｓ１０６）と、
少なくとも１つのＣＳＩリソース上でＣＳＩシグナリングを実行すること（Ｓ１０８）と、
を含む方法。
【請求項４９】
ユーザ装置（１６）であって、
チャネル状態情報参照信号（ＣＳＩ−ＲＳ）リソースのインジケーションを受信し、該インジケーションは、ＣＳＩシグナリングのために前記ユーザ装置によって使用されるように構成された複数のＣＳＩ−ＲＳリソース内の１以上のＣＳＩ−ＲＳリソースを示し、
少なくとも１つのＣＳＩリソース上でＣＳＩシグナリングを実行する、
ように構成された送受信機（４８）
を有するユーザ装置（１６）。
【発明の詳細な説明】
【技術分野】
【０００１】
本開示は無線通信に関し、特に、無線通信システムにおいてチャネル状態情報参照信号（ＣＳＩ−ＲＳ）リソースを構成することに関するものである。
【背景技術】
【０００２】
第３世代パートナーシッププロジェクト（３ＧＰＰ）ロングタームエボリューション（ＬＴＥ）システムでは、ダウンリンク（すなわち、ｅＮｏｄｅＢ（ｅＮＢ）などのネットワークノードまたは基地局からユーザ機器（ＵＥ）などの無線デバイスへ）及びアップリンク（すなわち、無線デバイスまたは無線デバイスからネットワークノードまたは基地局またはｅＮＢへ）の両方のデータ送信は１０ｍｓの無線フレームに編成され、各無線フレームは、図１に示すように、長さＴsubframe＝１ｍｓの１０個の等サイズのサブフレームから構成される。
【０００３】
ＬＴＥは、ダウンリンクにおいて直交周波数分割多重（ＯＦＤＭ）を使用し、アップリンクにおいてシングルキャリアＯＦＤＭ（ＳＣ−ＯＦＤＭ）を使用する。基本的なＬＴＥダウンリンク物理リソースは、図２に示されるように時間−周波数グリッドとして見ることができ、ここで、各リソース要素は、１つのＯＦＤＭシンボルインターバル中の１つのＯＦＤＭサブキャリアに対応する。
【０００４】
さらに、ＬＴＥにおけるリソース割り当ては、通常、リソースブロック（ＲＢ）に関して説明され、リソースブロックは、時間領域では１スロット（０．５ｍｓ）に対応し、周波数領域では１２個の連続するサブキャリアに対応する。リソースブロックは周波数領域で番号が付けられ、システムバンド幅の一方の端から０から始まる。
【０００５】
同様に、ＬＴＥアップリンクリソースグリッドが図３に示されており、ここで、ＮRBULは、アップリンクシステムバンド幅に含まれるリソースブロック（ＲＢ）の数であり、ＮSCRBは各ＲＢ内のサブキャリアの数であり、通常ＮSCRB＝１２であり、ＮsymbULは各スロット内のＳＣ−ＯＦＤＭシンボルの数であり、通常のサイクリックプレフィックス（ＣＰ）ではＮsymbUL＝７であり、拡張ＣＰではＮsymbUL＝６である。サブキャリアとＳＣ−ＯＦＤＭシンボルはアップリンク（ＵＬ）リソース要素（ＲＥ）を形成する。
【０００６】
ネットワークノードから無線デバイスへのダウンリンクデータ送信は動的にスケジュールされ、すなわち、各サブフレームにおいて、ネットワークノードは、どの端末のデータが送信され、該データがどのリソースブロック上で送信されるか、についての制御情報を送信する。この制御シグナリングは、通常、各サブフレーム内の最初の１、２、３または４個のＯＦＤＭシンボルで送信される。制御として３つのＯＦＤＭシンボルを有するダウンリンクシステムが図４に示されている。
【０００７】
ダウンリンクと同様に、無線デバイスからネットワークノードへのアップリンク送信もダウンリンク制御チャネルを介して動的にスケジュールされる。無線デバイスは、サブフレームｎにおいてアップリンク許可を受信すると、サブフレームｎ＋ｋにおけるアップリンクにおいてデータを送信し、ここで、周波数分割複信（ＦＤＤ）システムではｋ＝４であり、ＴＤＤシステムではｋは変化する。
【０００８】
ＬＴＥでは、データ送信のためにいくつかの物理チャネルがサポートされている。ダウンリンクまたはアップリンク物理チャネルは、より上位のレイヤから発信された情報を搬送するリソース要素のセットに対応し、ダウンリンクまたはアップリンク物理信号は物理レイヤによって使用されるが、より上位のレイヤから発信された情報を搬送しない。
【０００９】
ＬＴＥでサポートされているダウンリンク物理チャネルと信号のいくつかは次のとおりである：
・物理ダウンリンク共有チャネル（ＰＤＳＣＨ）
・物理ダウンリンク制御チャネル（ＰＤＣＣＨ）
・拡張物理ダウンリンク制御チャネル（ＥＰＤＣＣＨ）
・参照信号：
・セル固有参照信号（ＣＲＳ）
・ＰＤＳＣＨ用の復調参照信号
・チャネル状態情報参照信号（ＣＳＩ−ＲＳ）
【００１０】
ＰＤＳＣＨは、ダウンリンクでユーザトラフィックデータおよび上位レイヤメッセージを搬送するために主に使用され、図４に示されるように制御領域の外側のＤＬサブフレームで送信される。ＰＤＣＣＨおよびＥＰＤＣＣＨの両方は、ＰＲＢ割り当て、変調レベルおよび符号化方式（ＭＣＳ）、送信機で使用されるプリコーダなどのダウンリンク制御情報（ＤＣＩ）を搬送するために使用される。ＰＤＣＣＨは、ＤＬサブフレーム内の最初の１から４個のＯＦＤＭシンボル（すなわち、制御領域）で送信され、ＥＰＤＣＣＨはＰＤＳＣＨと同じ領域で送信される。
【００１１】
ＬＴＥでサポートされているアップリンク物理チャネルと信号のいくつかは次のとおりである：
・物理アップリンク共有チャネル（ＰＵＳＣＨ）
・物理アップリンク制御チャネル（ＰＵＣＣＨ）
・ＰＵＳＣＨ用の復調参照信号（ＤＭＲＳ）
・ＰＵＣＣＨ用の復調参照信号（ＤＭＲＳ）
【００１２】
ＰＵＳＣＨは、無線デバイスからネットワークノードへアップリンクデータを搬送するために使用される。ＰＵＣＣＨは、無線デバイスからネットワークノードへアップリンク制御情報を搬送するために使用される。
【００１３】
３ＧＰＰ  ＲＡＮ１＃８６標準化会議において、ＮＲのための非周期的ＣＳＩ報告に関する合意は、非周期的ＲＳ送信と共に非周期的ＣＳＩ報告を研究するためになされた。特に、非周期的チャネルおよび干渉測定のリソースのためのリソースプール共有を含む、非周期的ＲＳおよび干渉測定リソースの動的なインジケーションを研究することが合意された。
【００１４】
非周期的チャネルおよび干渉測定のリソースのためのリソースプール共有の解決策が依然として必要とされている。
【発明の概要】
【００１５】
ＣＳＩ−ＲＳを構成し使用するための、方法、無線デバイス及びネットワークノードが開示される。ある実施形態によれば、方法は、チャネル状態情報参照信号（ＣＳＩ−ＲＳ）リソースのインジケーションを無線デバイスに送信することを含み、当該インジケーションは、ＣＳＩシグナリングのために無線デバイスによって使用されるように構成された複数のＣＳＩ−ＲＳリソース内の１以上のＣＳＩ−ＲＳリソースを示す。
【００１６】
いくつかの実施形態では、ネットワークノードにおける方法が提供され、当該方法は、チャネル状態情報参照信号（ＣＳＩ−ＲＳ）リソースのインジケーションを無線デバイスに送信することを含み、該インジケーションは、ＣＳＩシグナリングのために前記無線デバイスによって使用されるように構成された複数のＣＳＩ−ＲＳリソース内の１以上のＣＳＩ−ＲＳリソースを示す。
【００１７】
いくつかの実施形態では、ＣＳＩシグナリングのために前記無線デバイスによって使用されるように構成された前記複数のＣＳＩ−ＲＳリソースは、より上位のレイヤを介して構成される。いくつかの実施形態では、前記インジケーションは動的に送信される。いくつかの実施形態では、前記インジケーションは、ダウンリンク制御情報（ＤＣＩ）および媒体アクセス制御制御要素（ＭＡＣ  ＣＥ）シグナリングのうちの１つとともに送信される。いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。いくつかの実施形態では、前記無線デバイスに対して、異なるリソース要素の集合体の複数の異なるインジケーションが構成される。いくつかの実施形態では、少なくとも２つの異なるリソース要素の集合体は、共通の少なくとも１ペアのＣＳＩ−ＲＳリソースを共有する。いくつかの実施形態では、多数のリソースセットが、Ｎ個のＣＳＩ−ＲＳリソースのプールから構成される。いくつかの実施形態では、報告設定は、ＣＳＩ−ＲＳリソースのセットに適用可能なリソース設定に基づく。
【００１８】
いくつかの実施形態では、ネットワークノードが提供され、チャネル状態情報参照信号（ＣＳＩ−ＲＳ）リソースのインジケーションを無線デバイスに送信するように構成された送受信機を有し、該インジケーションは、ＣＳＩシグナリングのために前記無線デバイスによって使用されるように構成された複数のＣＳＩ−ＲＳリソース内の１以上のＣＳＩ−ＲＳリソースを示す。
【００１９】
いくつかの実施形態では、ＣＳＩシグナリングのために前記無線デバイスによって使用されるように構成された前記複数のＣＳＩ−ＲＳリソースは、より上位のレイヤを介して構成される。いくつかの実施形態では、前記インジケーションは動的に送信される。いくつかの実施形態では、前記インジケーションは、ダウンリンク制御情報（ＤＣＩ）および媒体アクセス制御制御要素（ＭＡＣ  ＣＥ）シグナリングのうちの１つとともに送信される。いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。いくつかの実施形態では、前記無線デバイスに対して、異なるリソース要素の集合体の複数の異なるインジケーションが構成される。いくつかの実施形態では、少なくとも２つの異なるリソース要素の集合体は、共通の少なくとも１ペアのＣＳＩ−ＲＳリソースを共有する。いくつかの実施形態では、多数のリソースセットが、Ｎ個のＣＳＩ−ＲＳリソースのプールから構成される。いくつかの実施形態では、報告設定は、ＣＳＩ−ＲＳリソースのセットに適用可能なリソース設定に基づく。
【００２０】
いくつかの実施形態では、ネットワークノードが提供され、チャネル状態情報参照信号（ＣＳＩ−ＲＳ）リソースのインジケーションを無線デバイスに送信するように構成された送受信モジュールを有し、、該インジケーションは、ＣＳＩシグナリングのために前記無線デバイスによって使用されるように構成された複数のＣＳＩ−ＲＳリソース内の１以上のＣＳＩ−ＲＳリソースを示す。
【００２１】
いくつかの実施形態では、チャネル状態情報参照信号（ＣＳＩ−ＲＳ）を構成する、ネットワークノードにおける方法が提供される。該方法は、ＣＳＩ−ＲＳリソース要素のセットを決定することを含み、該セットは少なくとも２つのＣＳＩ−ＲＳリソースを含む。該方法は、また、複数のＣＳＩ−ＲＳリソース要素を１つのリソースプール内のリソースに集約することを含む。
【００２２】
いくつかの実施形態では、ＣＳＩシグナリングのために無線デバイスによって使用されるように構成された前記複数のＣＳＩ−ＲＳリソース要素は、より上位のレイヤを介して構成される。いくつかの実施形態では、ＣＳＩ−ＲＳリソース要素の集合体を無線デバイスに示すことを更に含む。いくつかの実施形態では、前記示すことは、動的なシグナリングによる。いくつかの実施形態では、前記示すことは、ダウンリンク制御情報（ＤＣＩ）による。いくつかの実施形態では、ＣＳＩ−ＲＳリソース要素の前記セットはセル固有のビーム掃引のために複数の無線デバイスをサポートし、それによって該複数の無線デバイスは同じビームを測定する。いくつかの実施形態では、異なる無線デバイスの各々が異なるビーム上でチャネルを測定することを可能にするために、ＣＳＩ−ＲＳリソース要素の異なるセットが前記異なる無線デバイスに示される。
【００２３】
いくつかの実施形態では、チャネル状態情報参照信号（ＣＳＩ−ＲＳ）を構成するネットワークノードが提供される。該ネットワークノードは、少なくとも２つのＣＳＩ−ＲＳリソースを含む、ＣＳＩ−ＲＳリソース要素のセットを決定し、複数のＣＳＩ−ＲＳリソース要素を１つのリソースプール内のリソースに集約する、ように構成された処理回路を有する。
【００２４】
いくつかの実施形態では、ＣＳＩシグナリングのために無線デバイスによって使用されるように構成された前記複数のＣＳＩ−ＲＳリソース要素は、より上位のレイヤを介して構成される。いくつかの実施形態では、ＣＳＩ−ＲＳリソース要素の集合体を無線デバイスに示すことを更に有する。いくつかの実施形態では、前記示すことは、動的なシグナリングによる。いくつかの実施形態では、前記示すことは、ダウンリンク制御情報（ＤＣＩ）による。いくつかの実施形態では、ＣＳＩ−ＲＳリソース要素の前記セットはセル固有のビーム掃引のために複数の無線デバイスをサポートし、それによって該複数の無線デバイスは同じビームを測定する。いくつかの実施形態では、異なる無線デバイスの各々が異なるビーム上でチャネルを測定することを可能にするために、ＣＳＩ−ＲＳリソース要素の異なるセットが前記異なる無線デバイスに示される。
【００２５】
いくつかの実施形態では、チャネル状態情報参照信号（ＣＳＩ−ＲＳ）を構成するネットワークノード。該ネットワークノードは、ＣＳＩ−ＲＳリソース要素のセットを決定するように構成されたＣＳＩ−ＲＳリソースプール決定モジュールを有し、該セットは少なくとも２つのＣＳＩ−ＲＳリソースを含む。該ネットワークノードは、また、複数のＣＳＩ−ＲＳリソース要素を１つのリソースプール内のリソースに集約するように構成された集約モジュールを有する。
【００２６】
いくつかの実施形態では、無線デバイスにおける方法は、チャネル状態情報参照信号（ＣＳＩ−ＲＳ）リソースのインジケーションを受信することを含み、該インジケーションは、ＣＳＩシグナリングのために前記無線デバイスによって使用されるように構成された複数のＣＳＩ−ＲＳリソース内の１以上のＣＳＩ−ＲＳリソースを示す。該方法は、また、少なくとも１つのＣＳＩリソース上でＣＳＩシグナリングを実行することを含む。
【００２７】
いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。
【００２８】
いくつかの実施形態では、無線デバイスは、チャネル状態情報参照信号（ＣＳＩ−ＲＳ）リソースのインジケーションを受信し、該インジケーションは、ＣＳＩシグナリングのために前記無線デバイスによって使用されるように構成された複数のＣＳＩ−ＲＳリソース内の１以上のＣＳＩ−ＲＳリソースを示し、少なくとも１つのＣＳＩリソース上でＣＳＩシグナリングを実行する、ように構成された送受信機を有する。
【００２９】
いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。
【００３０】
いくつかの実施形態では、無線デバイスは、チャネル状態情報参照信号（ＣＳＩ−ＲＳ）リソースのインジケーションを受信するように構成された送受信モジュールを有し、該インジケーションは、ＣＳＩシグナリングのために前記無線デバイスによって使用されるように構成された複数のＣＳＩ−ＲＳリソース内の１以上のＣＳＩ−ＲＳリソースを示す。該送受信機は、少なくとも１つのＣＳＩリソース上でＣＳＩシグナリングを実行するように構成される。
【００３１】
いくつかの実施形態では、基地局における方法は、チャネル状態情報参照信号（ＣＳＩ−ＲＳ）リソースのインジケーションをユーザ装置に送信することを含み、該インジケーションは、ＣＳＩシグナリングのために前記ユーザ装置によって使用されるように構成された複数のＣＳＩ−ＲＳリソース内の１以上のＣＳＩ−ＲＳリソースを示す。
【００３２】
いくつかの実施形態では、基地局は、チャネル状態情報参照信号（ＣＳＩ−ＲＳ）リソースのインジケーションをユーザ装置に送信するように構成された送受信機を有し、該インジケーションは、ＣＳＩシグナリングのために前記ユーザ装置によって使用されるように構成された複数のＣＳＩ−ＲＳリソース内の１以上のＣＳＩ−ＲＳリソースを示す。
【００３３】
いくつかの実施形態では、チャネル状態情報参照信号（ＣＳＩ−ＲＳ）を構成する、基地局における方法。該方法は、ＣＳＩ−ＲＳリソース要素のセットを決定することを含み、該セットは少なくとも２つのＣＳＩ−ＲＳリソースを含む。該方法は、また、複数のＣＳＩ−ＲＳリソース要素を１つのリソースプール内のリソースに集約することを含む。
【００３４】
いくつかの実施形態では、チャネル状態情報参照信号（ＣＳＩ−ＲＳ）を構成する基地局。該基地局は、少なくとも２つのＣＳＩ−ＲＳリソースを含む、ＣＳＩ−ＲＳリソース要素のセットを決定し、複数のＣＳＩ−ＲＳリソース要素を１つのリソースプール内のリソースに集約する、ように構成された処理回路を有する。
【００３５】
いくつかの実施形態では、ユーザ装置における方法は、チャネル状態情報参照信号（ＣＳＩ−ＲＳ）リソースのインジケーションを受信することを含み、該インジケーションは、ＣＳＩシグナリングのために前記ユーザ装置によって使用されるように構成された複数のＣＳＩ−ＲＳリソース内の１以上のＣＳＩ−ＲＳリソースを示す。該方法は、少なくとも１つのＣＳＩリソース上でＣＳＩシグナリングを実行することを含む。
【００３６】
いくつかの実施形態では、ユーザ装置は、チャネル状態情報参照信号（ＣＳＩ−ＲＳ）リソースのインジケーションを受信し、該インジケーションは、ＣＳＩシグナリングのために前記ユーザ装置によって使用されるように構成された複数のＣＳＩ−ＲＳリソース内の１以上のＣＳＩ−ＲＳリソースを示し、少なくとも１つのＣＳＩリソース上でＣＳＩシグナリングを実行する、ように構成された送受信機を有する。
【図面の簡単な説明】
【００３７】
本実施形態、ならびにそれに付随する利点および特徴のより完全な理解は、添付の図面と併せて考慮すると、以下の詳細な説明を参照することによってより容易に理解されるであろう。
【００３８】
【図１】無線フレームの説明図である。
【図２】時間周波数グリッドの説明図である。
【図３】アップリンクリソースグリッドの図である。
【図４】３ＯＦＤＭを用いたダウンリンク構成を示す図である。
【図５】ＣＳＩ−ＲＳ要素を構成する２つの例を示す図である。
【図６】少なくともいくつかが無線デバイスによって共有され得るＣＳＩ−ＲＳ要素を含むプールを示す。
【図７】本明細書に記載の原理に従って構築された無線通信システムのブロック図である。
【図８】本明細書に記載の原理に従って構築されたネットワークノードのブロック図である。
【図９】メモリに格納されプロセッサによって実行可能なソフトウェアによって少なくとも部分的に実施することができるネットワークノードの代替実施形態のブロック図である。
【図１０】ＣＳＩ−ＲＳリソースのインジケーションを受信しＣＳＩシグナリングを実行するように構成された無線デバイスのブロック図である。
【図１１】メモリに格納されプロセッサによって実行可能なソフトウェアによって少なくとも部分的に実施することができるネットワークノードの代替実施形態のブロック図である。
【図１２】ＣＳＩ−ＲＳリソースのインジケーションを無線デバイスに提供するための例示的な処理のフローチャートである。
【図１３】ＣＳＩ−ＲＳリソース要素を決定するための例示的な処理のフローチャートである。
【図１４】ＣＳＩ−ＲＳリソースインジケーションを受信する無線デバイスにおける例示的な処理のフローチャートである。
【発明を実施するための形態】
【００３９】
一例として本開示では、第３世代パートナーシッププロジェクト（３ＧＰＰ）（すなわちロングタームエボリューション（ＬＴＥ））からの用語が使用されているが、これは本開示の範囲を前述のシステムのみに限定するものと見なされるべきではない。ＮＲ（すなわち５Ｇ）、ワイドバンド符号分割多元接続（ＷＣＤＭＡ）、ＷｉＭａｘ、ウルトラモバイルブロードバンド（ＵＭＢ）、およびモバイル通信のためのグローバルシステム（ＧＳＭ）を含む他の無線システムもまた、本開示内に含まれる概念及び方法を活用することから利益を得る。
【００４０】
ｅＮｏｄｅＢおよび無線デバイスなどの用語は非限定的であると見なされるべきであり、特にこれら２つの間の特定の階層的関係を暗示するものではないことにも留意されたい。一般には、「ｅＮｏｄｅＢ」は装置１および「無線デバイス」は装置２と見なすことができ、これら２つの装置はある無線チャネルを介して互いに通信する。また、本開示はダウンリンクにおける無線送信に焦点を合わせているが、実施形態はアップリンクにおいても同様に適用可能である。
【００４１】
本明細書で使用される無線デバイスという用語は、ネットワークノードおよび／またはセルラーまたはモバイル通信システム内の別の無線デバイスと通信する任意の種類の無線デバイスを指すことがある。無線デバイスの例は、ユーザ装置（ＵＥ）、ターゲットデバイス、デバイスツーデバイス（Ｄ２Ｄ）無線デバイス、マシンタイプ無線デバイスまたはマシンツーマシン（Ｍ２Ｍ）通信可能な無線デバイス、ＰＤＡ、ｉＰＡＤ、タブレット、携帯端末、スマートフォン、ラップトップ組込機器（ＬＥＥ）、ラップトップ搭載機器（ＬＭＥ）、ＵＳＢドングルなどである。
【００４２】
本明細書で使用される「ネットワークノード」という用語は、無線ネットワークノードまたは別のネットワークノード、たとえばコアネットワークノード、ＭＳＣ、ＭＭＥ、Ｏ＆Ｍ、ＯＳＳ、ＳＯＮ、測位ノード（たとえばＥ−ＳＭＬＣ）、ＭＤＴノードなどを指すことがある。
【００４３】
本明細書で使用される「ネットワークノード」または「無線ネットワークノード」という用語は、基地局（ＢＳ）、無線基地局、無線送受信局（ＢＴＳ）、基地局コントローラ（ＢＳＣ）、無線ネットワーク制御装置（ＲＮＣ）、発展型ノードＢ（ｅＮＢまたはｅＮｏｄｅＢ）、ノードＢ、ＭＳＲ  ＢＳのようなマルチスタンダード無線（ＭＳＲ）無線ノード、中継ノード、中継制御ドナーノード、無線アクセスポイント（ＡＰ）、送信点、送信ノード、リモート無線ユニット（ＲＲＵ）、リモート無線ヘッド（ＲＲＨ）、分散アンテナシステム（ＤＡＳ）内のノード、等のいずれかをさらに含むことができる、無線ネットワークに含まれるあらゆる種類のネットワークノードであり得る。
【００４４】
さらに、１つの無線デバイスまたは１つのネットワークノードによって実行されるものとして本明細書で説明されている機能は、複数の無線デバイスおよび／またはネットワークノードにわたって分散されてもよいことに留意されたい。言い換えれば、本明細書に記載のネットワークノードおよび無線デバイスの機能は、単一の物理デバイスによる実行に限定されず、実際には、複数の物理デバイスに分散され得る。
【００４５】
例示的な実施形態を詳細に説明する前に、実施形態は、主に、低減されたピーク対平均比の参照信号シーケンスを生成することに関連する装置要素および処理ステップの組合せにある。したがって、本明細書の説明の恩恵を受ける当業者には容易に明らかとなるであろう詳細で本開示を曖昧にしないように、要素は、必要に応じて図面中の従来の記号によって表されており、実施形態の理解に関連する特定の詳細のみを示している。
【００４６】
本明細書で使用するとき、「第１（first）」および「第２（second）」、「上部（top）」および「下部（bottom）」などの相対用語は、そのようなエンティティまたは要素間の物理的または論理的な関係または順序を必ずしも必要としたり暗示したりすることなく、あるエンティティまたは要素を別のエンティティまたは要素から区別するためにのみ使用され得る。
【００４７】
本開示のいくつかの実施形態は、ＲＡＮ＃１  ８６合意：非周期的チャネルのためのリソースプール共有および干渉測定リソース、の以下の態様に焦点を合わせる。
【００４８】
本開示の１以上の実施形態は、時間および周波数においてＣＳＩ−ＲＳ要素を集約することに関連する。特に、従来技術は、ビーム掃引（異なるＲＳ）にはブロードバンド無線サービス（ＢＲＳ）を使用しリンクアダプテーションにはＣＳＩ−ＲＳを使用するが、一方、本開示のある実施形態では、複数のＣＳＩ−ＲＳ要素を異なる次元にマッピングする柔軟性があるので両方のＣＳＩ−ＲＳ要素に対して同じ信号を使用する。本開示の１以上の実施形態は、１ポートＣＳＩ−ＲＳ要素の定義に関連する。特に、２ポート要素の定義を使用することも可能であるが、１ポートのみを使用して３ｄＢ以上の電力で送信する（１ポートのみが使用されるため）。
【００４９】
クラスＡおよびクラスＢタイプの動作に関してＬＴＥでサポートされているものと同じ基本機能をサポートするために使用できるが、統一された方法で使用できるニューラジオ（ＮＲ）のためのＣＳＩフレームワークを提案する、Ｒ１−１６０９７６１、「ＮＲのための統一されたＣＳＩフィードバックフレームワークの詳細」、エリクソン、ＲＡＮ１＃８６ｂｉｓ、２０１６年１０月、は、参照により本明細書に組み入れられる。提案されたフレームワークはまた、ＮＲに必要とされる追加の機能、すなわちＣＳＩ−ＲＳベースのビーム管理およびハイブリッドアナログ／デジタルビーム形成をサポートすることもできる。
【００５０】
この統一されたフレームワークでは、各無線デバイスは、ＮポートのＣＳＩ−ＲＳ構成に基づいて測定を実行するように構成される。無線デバイスがこれらの測定をどのように実行するかは、Ｎの値、統一コードブック内のポートの数Ｃ、および、選択されたランクＲ、に基づく「ルール」のセットによって支配される。各ルールはそれぞれ異なるユースケース（例えば、クラスＡタイプの動作、クラスＢ、Ｋ＝１、クラスＢ、Ｋ＞１など）に対応する。
【００５１】
ＮポートのＣＳＩ−ＲＳ構成は無線デバイス固有であり得るため、同時にアクティブなユーザの数が多いとＣＳＩ−ＲＳオーバーヘッドは大きくなる可能性がある。同じ問題が、オーバーヘッド削減アプローチの研究をトリガしたクラスＢ動作のためのＬＴＥにおいても発生する。そのようなアプローチの１つは、ＣＳ−ＲＳリソースのプーリングと結合された非周期的ＣＳＩ−ＲＳ送信の組み合わせに基づいている。３ＧＰＰ内で、ＬＴＥリリース１４に対するこのアプローチをサポートすることで合意が達成され（Ｒ１−１６８０４６、「Ｒｅｌ．１４のための非周期的ＣＳＩ−ＲＳに関するＷＦ」、ＲＡＮ１＃８６、２０１６年８月、を参照）、参照により本明細書に組み込まれる。
【００５２】
ＬＴＥにおいて、最初のステップでは、ユーザは、測定に使用することができるＣＳＩ−ＲＳリソースのプールを上位レイヤを通して事前設定される。このプールは、その後、これらのリソースは任意のビーム内および任意の無線デバイスに対する測定の実行に使用され得るという意味で一般的であり、したがって「プール」という用語が使用される。第２のステップでは、プールからのリソースのサブセットが、ダウンリンク制御情報（ＤＣＩ）または媒体アクセス制御要素（ＭＡＣ  ＣＥ）シグナリングのいずれかを介して所与の無線デバイスに動的にアクティブ／リリースされる。最後に、第３のステップにおいて、リソースのサブセットのうちの１つが、ＤＣＩシグナリングを介して無線デバイスに動的に示される。そして、選択されたリソースは、ＣＳＩの測定及び報告に使用される。このアプローチでは、最初のステップでのみ上位レイヤシグナリングが使用されるため、プール内のリソースは、頻繁なＲＲＣ再構成を回避しながら動的にシフトされユーザ間で共有され得る。
【００５３】
ＣＳＩ−ＲＳオーバーヘッドを管理し効率的な方法でビーム管理をサポートするために、上述のような手法はＮＲにおいて採用することができる。両方の目標をサポートすることを目的とし、ＬＴＥで合意された手順の一般化が必要である。上述の第３のステップにおいてＣＳＩ−ＲＳリソースのサブセットのうちの１つのみでＣＳＩを測定し報告するように無線デバイスを制限するのではなく、本明細書の特定の実施形態は２つ以上のリソースについても測定および／または報告を可能にする。この機能性は、たとえば、無線デバイスが複数のビームの信号強度を測定する必要がある場合（例えば、ビーム掃引動作）のビーム管理に役立つ。中間の第２のステップは不必要であり得、無線デバイスが測定するリソースのサブセットの動的インジケーションは単一のステップで動的に行われ得る。したがって、いくつかの実施形態では、中間の第２のステップを排除することが提案される。
【００５４】
したがって、いくつかの実施形態は、ＬＴＥに関して合意されているように、１以上のリソースに関する非周期的測定／報告をサポートするように一般化された、リソースプーリングと組み合わせた非周期的ＣＳＩ報告を開示する。いくつかのさらなる実施形態では、１以上のリソースが単一のステップで動的に構成されるように、中間のアクティブ／リリース機構を削除することによって、アプローチが単純化される。
【００５５】
上記の統一されたＣＳＩ−ＲＳフレームワークを拡張するいくつかの実施形態では、ＮポートＣＳＩ−ＲＳ構成は、各ユーザの特定のＣＳＩ−ＲＳ構成に関連付けられる（Ｎはすべてのユーザに対して同じである必要はなく、ユーザは複数のＣＳＩ−ＲＳ構成（例えば、半永続的報告のためのもの及び非周期的報告のためのもの）を有し得る）。プーリングフレームワークを使用して、各ユーザのＣＳＩ−ＲＳ設定のリソースがリソースのプールから選択される。
【００５６】
柔軟なＣＳＩ−ＲＳプーリングを可能にするために、いくつかの実施形態では、各Ｎポート構成がいくつかのより小さいＣＳＩ−ＲＳユニットから構築されるように、ＣＳＩ−ＲＳ構成がモジュール化される。それらのユニットは、ＬＴＥにおける制御チャネル要素（ＣＣＥ）との類似性を引き出すために「ＣＳＩ−ＲＳ要素」と呼ばれる。このように、プールはいくつかのＣＳＩ−ＲＳ要素から構成され、そこから各ＣＳＩ−ＲＳ構成が集約によって構築される。異なるユースケースをサポートする際の柔軟性のために、異なる構成は１つ以上のＣＳＩ−ＲＳ要素を共有してもよい。
【００５７】
図５は、ＮポートＣＳＩ−ＲＳ構成が構築される基本的なＣＳＩ−ＲＳ要素に対する２つの可能性を示す。理解されるように、２つのポートは時間（左）または周波数（右）のどちらでも多重化できる。図５の一例では、リソース要素は、２つの時間的に連続する直交周波数分割多重（ＯＦＤＭ）シンボルを含み、時間的に連続する２つのＯＦＤＭシンボルのそれぞれは、２つのポートのうちの少なくとも１つに関連付けられている。図５の第２の例では、リソース要素は、１つの直交周波数分割多重（ＯＦＤＭ）シンボルを形成する２つの連続した周波数ユニットを含み、２つの周波数ユニットのそれぞれは、２つのポートのうちの少なくとも１つに関連付けられている。
【００５８】
図６は、これらのＣＳＩ−ＲＳ要素のいくつかを含むプールを示す。これらの要素からさまざまなサイズのＣＳＩ−ＲＳ構成を構築する方法に関するさまざまな例が示されている。例のうちの１つは、ＣＳＩ−ＲＳ要素が異なるＣＳＩ−ＲＳ構成間で共有され得ることを示し、プールから構築された構成は、相互に排他的な要素のセットを持つ必要はない。３つの異なるＮポートＣＳＩ−ＲＳ構成の形成が示されている。第１の構成は、７個のＣＳＩ−ＲＳ要素（Ｎ＝１４個のポート）の集合体である。第２の構成は、４個のＣＳＩ−ＲＳ要素（Ｎ＝８個のポート）の集合体である。第３の構成は、２個のＣＳＩ−ＲＳ要素（Ｎ＝４個のポート）の集合体であり、ここで、要素の１つが２番目の構成と共有されている。したがって、ＣＳＩ−ＲＳリソース要素の複数の異なる集合体が無線デバイスに対して構成され得る。また、少なくとも２つの異なる集合体が少なくとも１つのＣＳＩ−ＲＳリソース要素を共通に共有してもよい。図５及び図６の例では、ＮポートＣＳＩ−ＲＳ構成の場合、リソース要素の数はＮを２で除算したものに等しい。
【００５９】
ある実施形態では、以下のステップが、Ｎ＝２×ｎ個のＣＳＩ−ＲＳポート（ここで、ｎ＝１、２、３、４、…である）をサポートするスケーラブルな設計の基礎として使用することができる：多数の基本２ポートＣＳＩ−ＲＳ要素からＣＳＩ−ＲＳリソースプールを構築する。任意サイズのＮポートＣＳＩ−ＲＳ構成はＮ／２個の要素を集約することによって構築される。
【００６０】
本明細書で説明されるプーリングの概念は、ＣＳＩ−ＲＳオーバーヘッドを管理するための一般的なアプローチであることに加えて、ＣＳＩ−ＲＳベースのビーム管理にとって有益である。ビーム管理をサポートするために、プールからのＮ／２個のＣＳＩ−ＲＳ要素を使用してＮポートＣＳＩ−ＲＳ構成が形成される。この場合、様々なＣＳＩ−ＲＳ要素は（例えば、ビーム掃引動作における）異なるビームに対応する。そして、無線デバイスは、測定およびビーム選択の報告のために動的な方法で非周期的にトリガされる。この方法は、複数の無線デバイスが同じビームを測定する「セル固有」ビーム掃引と、（例えばビーム精密化のための）無線デバイス固有ビーム掃引と、の両方をサポートする。前者の場合、すべての無線デバイスは同じＮポートＣＳＩ−ＲＳ構成を共有する。後者では、異なる無線デバイスは異なるＮポートＣＳＩ−ＲＳ構成を使用する。プーリングを非周期的ＣＳＩ測定と組み合わせることによって、「常時オン」のビーム参照信号に頼ることなく効率的なビーム管理が達成される。
【００６１】
図７は、本明細書に記載の原理に従って構築された無線通信システム１０のブロック図である。無線通信ネットワーク１０はクラウド１２を含む。無線通信ネットワーク１０は、１以上のネットワークノード１４Ａおよび１４Ｂを含む。ネットワークノード１４は、本明細書でまとめて無線デバイス１６と呼ばれる無線デバイス１６Ａおよび１６Ｂにサービスを提供し得る。便宜上、２個の無線デバイス１６と２個のネットワークノード１４のみが示されているが、無線通信ネットワーク１０は通常、さらに多くの無線デバイス（ＷＤ）１６とネットワークノード１４を含み得ることに留意されたい。ネットワークノード１４は、少なくとも２つのＣＳＩ−ＲＳリソースを含むＣＳＩ−ＲＳ要素のセットを決定するように構成されたＣＳＩ−ＲＳリソースプール決定部１８を含む。ネットワークノード１４は、また、複数のＣＳＩ−ＲＳ要素を１つのリソースプール内のリソースに集約するように構成された集約モジュールを含む。
【００６２】
図８は、本明細書に記載の原理に従って構築されたネットワークノード１４のブロック図である。ネットワークノード１４は処理回路２２を有する。いくつかの実施形態では、処理回路はメモリ２４およびプロセッサ２６を含み得る。処理回路は、本明細書に記載の１以上の機能を実行するように構成することができる。伝統的なプロセッサおよびメモリに加えて、処理回路２２は、処理および／または制御のための集積回路（例えば、１以上のプロセッサおよび／またはプロセッサコアおよび／またはＦＰＧＡ（フィールドプログラマブルゲートアレイ）および／またはＡＳＩＣ（特定用途向け集積回路））を含み得る。
【００６３】
処理回路２２は、メモリ２４にアクセス（例えば、書き込みおよび／または読み出し）するように、含みおよび／または接続されおよび／または接続され得、これは、あらゆる種類の揮発性および／または不揮発性メモリ（例えば、キャッシュおよび／またはバッファメモリおよび／またはＲＡＭ（ランダムアクセスメモリ）および／またはＲＯＭ（読み取り専用メモリ）および／または光メモリおよび／またはＥＰＲＯＭ（消去可能プログラマブル読み出し専用メモリ）を含み得る。そのようなメモリ２４は、制御回路によって実行可能なコードおよび／または他のデータ（たとえば通信に関するデータ、たとえばノードの構成データおよび／またはアドレスデータなど）を格納するように構成され得る。処理回路２２は、本明細書に記載の方法のうちのいずれかを制御するように、および／または、そのような方法を、たとえばプロセッサ２６によって実行させるように、構成することができる。対応する命令は、処理回路２２に読み取り可能および／または読み出されるように接続することができるメモリ２４に格納することができる。言い換えれば、処理回路２２は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含み得るコントローラを含み得る。処理回路２２は、コントローラおよび／または処理回路２２による読み取りおよび／または書き込みのためにアクセス可能であるように構成され得るメモリを含むか、またはメモリに接続されているもしくは接続可能であると考えられ得る。
【００６４】
メモリ２４は、ＣＳＩ−ＲＳリソース要素のプールを格納するように構成され得、これは、いくつかの実施形態では、２つのリソースのペアにグループ化されて図５に示されるようなリソース要素を形成することができる。プロセッサは、ＣＳＩ−ＲＳ要素のセットを決定するように構成されたＣＳＩ−ＲＳリソースプール決定部１８を含み得、そのセットは少なくとも２つのＣＳＩ−ＲＳリソースを含む。プロセッサ２６は、また、複数のＣＳＩ−ＲＳ要素を１つのリソースプール内のリソースに集約するように構成された集約部２０を含み得る。送受信機２８は、いくつかの実施形態では、ＣＳＩ−ＲＳリソースのインジケーションを無線デバイス１６に送信するように構成され得、インジケーションは、ＣＳＩシグナリングのために無線デバイス１６によって使用されるように構成された複数のＣＳＩ−ＲＳリソース内の１以上のＣＳＩ−ＲＳリソースを示す。
【００６５】
図９は、メモリに格納されプロセッサによって実行可能なソフトウェアによって少なくとも部分的に実施することができるネットワークノード１４の代替実施形態のブロック図である。メモリモジュール２５は、ＣＳＩ−ＲＳリソースプール３０を格納するように構成される。ＣＳＩ−ＲＳリソースプール決定モジュール１９は、少なくとも２つのＣＳＩ−ＲＳリソースを含むＣＳＩ−ＲＳ要素のセットを決定するように構成される。集約モジュール２１は、複数のＣＳＩ−ＲＳ要素を１つのリソースプール内のリソースに集約するように構成される。送受信モジュール２９は、いくつかの実施形態では、ＣＳＩ−ＲＳリソースのインジケーションを無線デバイス１６に送信するように構成され、インジケーションは、ＣＳＩシグナリングのために無線デバイス１６によって使用されるように構成された複数のＣＳＩ−ＲＳリソース内の１以上のＣＳＩ−ＲＳリソースを示す。
【００６６】
いくつかの実施形態では、ネットワークノード１４は、チャネル状態情報（ＣＳＩ）の非周期的報告のために少なくとも１つの無線デバイス１６によって使用されるべきＣＳＩ−ＲＳリソース要素のプールを構成する。ネットワークノード１４は、ＣＳＩ−ＲＳリソースのプールのＣＳＩ−ＲＳリソース要素の少なくとも１つの集合体を示し、ＣＳＩ−ＲＳリソース要素の少なくとも１つの集合体のうちの少なくとも１つは、チャネル状態情報をネットワークノード１４に報告するために無線デバイス１６によって使用可能である。いくつかの実施形態では、インジケーションは、ダウンリンク制御情報（ＤＣＩ）を使用して無線デバイス１６に送信される。
【００６７】
図１０は、ＣＳＩ−ＲＳリソースのインジケーションを受信し、そしてＣＳＩシグナリングを実行するように構成された無線デバイス１６のブロック図である。無線デバイス１６は処理回路４２を有する。いくつかの実施形態では、処理回路は、メモリ４４およびプロセッサ４６を含むことができ、メモリ４４は、プロセッサ４６によって実行されると、本明細書に記載の１以上の機能を実行するようにプロセッサ４６を構成する命令を含む。伝統的なプロセッサおよびメモリに加えて、処理回路４２は、処理および／または制御のための集積回路（例えば、１以上のプロセッサおよび／またはプロセッサコアおよび／またはＦＰＧＡ（フィールドプログラマブルゲートアレイ）および／またはＡＳＩＣ（特定用途向け集積回路））を含み得る。
【００６８】
処理回路４２は、メモリ４４にアクセス（例えば、書き込みおよび／または読み出し）するように、含みおよび／または接続されおよび／または接続され得、これは、あらゆる種類の揮発性および／または不揮発性メモリ（例えば、キャッシュおよび／またはバッファメモリおよび／またはＲＡＭ（ランダムアクセスメモリ）および／またはＲＯＭ（読み取り専用メモリ）および／または光メモリおよび／またはＥＰＲＯＭ（消去可能プログラマブル読み出し専用メモリ）を含み得る。そのようなメモリ４４は、制御回路によって実行可能なコードおよび／または他のデータ（たとえば通信に関するデータ、たとえばノードの構成データおよび／またはアドレスデータなど）を格納するように構成され得る。処理回路４２は、本明細書に記載の方法のうちのいずれかを制御するように、および／または、そのような方法を、たとえばプロセッサ４６によって実行させるように、構成することができる。対応する命令は、処理回路４２に読み取り可能および／または読み出されるように接続することができるメモリ４４に格納することができる。言い換えれば、処理回路４２は、マイクロプロセッサおよび／またはマイクロコントローラおよび／またはＦＰＧＡ（フィールドプログラマブルゲートアレイ）デバイスおよび／またはＡＳＩＣ（特定用途向け集積回路）デバイスを含み得るコントローラを含み得る。処理回路４２は、コントローラおよび／または処理回路４２による読み取りおよび／または書き込みのためにアクセス可能であるように構成され得るメモリを含むか、またはメモリに接続されているもしくは接続可能であると考えられ得る。
【００６９】
メモリ４４は、ＣＳＩ−ＲＳリソース要素５０のプールを格納するように構成され得、これは、いくつかの実施形態では、２つのリソースのペアにグループ化されて図５に示されるようなリソース要素を形成することができる。無線デバイス１６は、また、チャネル状態情報参照信号（ＣＳＩ−ＲＳ）リソースのインジケーションを受信するように構成された送受信機４８を含み、インジケーションは、ＣＳＩシグナリングのために無線デバイス１６によって使用されるように構成された複数のＣＳＩ−ＲＳリソース内の１以上のＣＳＩ−ＲＳリソースを示す。送受信機４８は、少なくとも１つのＣＳＩリソース上でＣＳＩシグナリングを実行するようにさらに構成される。
【００７０】
図１１は、メモリに記憶されプロセッサによって実行可能なソフトウェアによって少なくとも部分的に実施することができる無線デバイス１６の代替実施形態のブロック図である。メモリモジュール４５は、ＣＳＩ−ＲＳリソース要素５０を格納するように構成される。送受信機モジュール４９は、チャネル状態情報参照信号（ＣＳＩ−ＲＳ）リソースのインジケーションを受信するように構成され、インジケーションは、ＣＳＩシグナリングのために無線デバイス１６によって使用されるように構成された複数のＣＳＩ−ＲＳリソース内の１以上のＣＳＩ−ＲＳリソースを示す。送受信機４９は、少なくとも１つのＣＳＩリソース上でＣＳＩシグナリングを実行するようにさらに構成される。
【００７１】
したがって、いくつかの実施形態では、ネットワークノード１４は、１ペアのリソースからなる少なくとも１つのＣＳＩ−ＲＳリソース要素を無線デバイス１６に動的に示す。この動的なインジケーションはＤＣＩによってなされてもよい。ＤＣＩは、これを無線デバイス１６によるＣＳＩの非周期的報告をトリガするように構成することができる。代替として、いくつかの実施形態では、無線デバイス１６による半持続的報告は、ＭＡＣ−ＣＥ上のＣＳＩ−ＲＳリソース要素のインジケーションの送信を介してトリガされ得る。
【００７２】
ＣＳＩ−ＲＳリソース要素のうちの特定の１つがＤＣＩまたはＭＡＣ−ＣＥを介して無線デバイス１６にシグナリングされるかどうかは、少なくとも１つのＣＳＩ−ＲＳリソース要素に対応するリソース設定に従って決定される。リソース設定は、ネットワークノード１４のメモリ２４に格納され、ＣＳＩの非周期的報告または半永続的報告のためにＣＳＩ−ＲＳリソース要素が無線デバイス１６によって使用されるべきかどうかを指定することができる。いくつかの実施形態では、リソース設定は、無線デバイス１６がＣＳＩを報告する頻度、使用するリソース要素、および使用することになるコードブック、を指定することができる。
【００７３】
図１２は、ＣＳＩ−ＲＳリソースのインジケーションを無線デバイス１６に提供するための例示的なプロセスのフローチャートである。このプロセスは、送受信機２８を介して、チャネル状態情報参照信号（ＣＳＩ−ＲＳ）リソースのインジケーションを送信することを含み、インジケーションは、ＣＳＩシグナリングのために無線デバイス１６によって使用されるように構成された複数のＣＳＩ−ＲＳリソース内の１以上のＣＳＩ−ＲＳリソースを示す（ブロックＳ１００）。
【００７４】
図１３は、ＣＳＩ−ＲＳリソース要素を決定するための例示的なプロセスのフローチャートである。このプロセスは、ＣＳＩ−ＲＳリソースプール決定部１８を介してＣＳＩ−ＲＳ要素のセットを決定することを含み、セットは少なくとも２つのＣＳＩ−ＲＳリソースを含む（ブロックＳ１０２）。このプロセスは、また、集約部２０を介して、複数のＣＳＩ−ＲＳ要素を１つのリソースプール内のリソースに集約することを含む（ブロックＳ１０４）。
【００７５】
図１４は、ＣＳＩ−ＲＳリソースインジケーションを受信する無線デバイス１６における例示的な処理のフローチャートである。このプロセスは、送受信機４８を介して、チャネル状態情報参照信号（ＣＳＩ−ＲＳ）リソースのインジケーションを受信することを含み、インジケーションは、ＣＳＩシグナリングのために無線デバイス１６によって使用されるように構成された複数のＣＳＩ−ＲＳリソース内の１以上のＣＳＩ−ＲＳリソースを示す（ブロックＳ１０６）。このプロセスは、また、送受信機４８を介して、少なくとも１つのＣＳＩリソース上でＣＳＩシグナリングを実行することを含む（ブロックＳ１０８）。
【００７６】
したがって、いくつかの実施形態では、ネットワークノード２４における方法が提供される。該方法は、チャネル状態情報参照信号（ＣＳＩ−ＲＳ）リソースのインジケーションを無線デバイス１６に送信することＳ１００を含み、該インジケーションは、ＣＳＩシグナリングのために前記無線デバイス１６によって使用されるように構成された複数のＣＳＩ−ＲＳリソース内の１以上のＣＳＩ−ＲＳリソースを示す。
【００７７】
いくつかの実施形態では、ＣＳＩシグナリングのために前記無線デバイス１６によって使用されるように構成された前記複数のＣＳＩ−ＲＳリソースは、より上位のレイヤを介して構成される。いくつかの実施形態では、前記インジケーションは動的に送信される。いくつかの実施形態では、前記インジケーションは、ダウンリンク制御情報（ＤＣＩ）および媒体アクセス制御制御要素（ＭＡＣ  ＣＥ）シグナリングのうちの１つとともに送信される。いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。いくつかの実施形態では、前記無線デバイス１６に対して、異なるリソース要素の集合体の複数の異なるインジケーションが構成される。いくつかの実施形態では、少なくとも２つの異なるリソース要素の集合体は、共通の少なくとも１ペアのＣＳＩ−ＲＳリソースを共有する。いくつかの実施形態では、多数のリソースセットが、Ｎ個のＣＳＩ−ＲＳリソースのプールから構成される。いくつかの実施形態では、報告設定は、ＣＳＩ−ＲＳリソースのセットに適用可能なリソース設定に基づく。
【００７８】
いくつかの実施形態では、ネットワークノード１４が提供され、チャネル状態情報参照信号（ＣＳＩ−ＲＳ）リソースのインジケーションを無線デバイス１６に送信するように構成された送受信機２８を有し、該インジケーションは、ＣＳＩシグナリングのために前記無線デバイス１６によって使用されるように構成された複数のＣＳＩ−ＲＳリソース内の１以上のＣＳＩ−ＲＳリソースを示す。
【００７９】
いくつかの実施形態では、ＣＳＩシグナリングのために前記無線デバイス１６によって使用されるように構成された前記複数のＣＳＩ−ＲＳリソースは、より上位のレイヤを介して構成される。いくつかの実施形態では、前記インジケーションは動的に送信される。いくつかの実施形態では、前記インジケーションは、ダウンリンク制御情報（ＤＣＩ）および媒体アクセス制御制御要素（ＭＡＣ  ＣＥ）シグナリングのうちの１つとともに送信される。いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。いくつかの実施形態では、前記無線デバイス１６に対して、異なるリソース要素の集合体の複数の異なるインジケーションが構成される。いくつかの実施形態では、少なくとも２つの異なるリソース要素の集合体は、共通の少なくとも１ペアのＣＳＩ−ＲＳリソースを共有する。いくつかの実施形態では、多数のリソースセットが、Ｎ個のＣＳＩ−ＲＳリソースのプールから構成される。いくつかの実施形態では、報告設定は、ＣＳＩ−ＲＳリソースのセットに適用可能なリソース設定に基づく。
【００８０】
いくつかの実施形態では、ネットワークノード１４が提供され、チャネル状態情報参照信号（ＣＳＩ−ＲＳ）リソースのインジケーションを無線デバイス１６に送信するように構成された送受信モジュール２９を有し、該インジケーションは、ＣＳＩシグナリングのために前記無線デバイス１６によって使用されるように構成された複数のＣＳＩ−ＲＳリソース内の１以上のＣＳＩ−ＲＳリソースを示す。
【００８１】
いくつかの実施形態では、チャネル状態情報参照信号（ＣＳＩ−ＲＳ）を構成する、ネットワークノード１４における方法が提供される。該方法は、少なくとも２つのＣＳＩ−ＲＳリソースを含む、ＣＳＩ−ＲＳリソース要素のセットを決定することＳ１０２を含む。該方法は、また、複数のＣＳＩ−ＲＳリソース要素を１つのリソースプール内のリソースに集約することＳ１０４を含む。
【００８２】
いくつかの実施形態では、ＣＳＩシグナリングのために無線デバイス１６によって使用されるように構成された前記複数のＣＳＩ−ＲＳリソース要素は、より上位のレイヤを介して構成される。いくつかの実施形態では、ＣＳＩ−ＲＳリソース要素の集合体を無線デバイス１６に示すことを更に含む。いくつかの実施形態では、前記示すことは、動的なシグナリングによる。いくつかの実施形態では、前記示すことは、ダウンリンク制御情報（ＤＣＩ）による。いくつかの実施形態では、ＣＳＩ−ＲＳリソース要素の前記セットはセル固有のビーム掃引のために複数の無線デバイス１６をサポートし、それによって該複数の無線デバイス１６は同じビームを測定する。いくつかの実施形態では、異なる無線デバイス１６の各々が異なるビーム上でチャネルを測定することを可能にするために、ＣＳＩ−ＲＳリソース要素の異なるセットが前記異なる無線デバイス１６に示される。
【００８３】
いくつかの実施形態では、チャネル状態情報参照信号（ＣＳＩ−ＲＳ）を構成するネットワークノード１４が提供される。該ネットワークノード１４は、少なくとも２つのＣＳＩ−ＲＳリソースを含む、ＣＳＩ−ＲＳリソース要素のセットを決定し、複数のＣＳＩ−ＲＳリソース要素を１つのリソースプール内のリソースに集約する、ように構成された処理回路２２を有する。
【００８４】
いくつかの実施形態では、ＣＳＩシグナリングのために無線デバイス１６によって使用されるように構成された前記複数のＣＳＩ−ＲＳリソース要素は、より上位のレイヤを介して構成される。いくつかの実施形態では、ＣＳＩ−ＲＳリソース要素の集合体を無線デバイス１６に示すことを更に有する。いくつかの実施形態では、前記示すことは、動的なシグナリングによる。いくつかの実施形態では、前記示すことは、ダウンリンク制御情報（ＤＣＩ）による。ＣＳＩ−ＲＳリソース要素の前記セットはセル固有のビーム掃引のために複数の無線デバイス１６をサポートし、それによって該複数の無線デバイス１６は同じビームを測定する。いくつかの実施形態では、異なる無線デバイス１６の各々が異なるビーム上でチャネルを測定することを可能にするために、ＣＳＩ−ＲＳリソース要素の異なるセットが前記異なる無線デバイス１６に示される。
【００８５】
いくつかの実施形態では、チャネル状態情報参照信号（ＣＳＩ−ＲＳ）を構成するネットワークノード１４。該ネットワークノード１４は、少なくとも２つのＣＳＩ−ＲＳリソースを含む、ＣＳＩ−ＲＳリソース要素のセットを決定するように構成されたＣＳＩ−ＲＳリソースプール決定モジュール１９を含む。該ネットワークノード１４は、また、複数のＣＳＩ−ＲＳリソース要素を１つのリソースプール内のリソースに集約するように構成された集約モジュール２１を含む。
【００８６】
いくつかの実施形態では、無線デバイス１６における方法は、チャネル状態情報参照信号（ＣＳＩ−ＲＳ）リソースのインジケーションを受信することＳ１０６を含み、該インジケーションは、ＣＳＩシグナリングのために前記無線デバイス１６によって使用されるように構成された複数のＣＳＩ−ＲＳリソース内の１以上のＣＳＩ−ＲＳリソースを示す。該方法は、また、少なくとも１つのＣＳＩリソース上でＣＳＩシグナリングを実行することＳ１０８を含む。
【００８７】
いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。
【００８８】
いくつかの実施形態では、無線デバイス１６は、チャネル状態情報参照信号（ＣＳＩ−ＲＳ）リソースのインジケーションを受信し、該インジケーションは、ＣＳＩシグナリングのために前記無線デバイス１６によって使用されるように構成された複数のＣＳＩ−ＲＳリソース内の１以上のＣＳＩ−ＲＳリソースを示し、少なくとも１つのＣＳＩリソース上でＣＳＩシグナリングを実行する、ように構成された送受信機４８を有する。
【００８９】
いくつかの実施形態では、前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている。いくつかの実施形態では、前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている。
【００９０】
いくつかの実施形態では、無線デバイス１６は、チャネル状態情報参照信号（ＣＳＩ−ＲＳ）リソースのインジケーションを受信するように構成された送受信モジュール４９を有し、該インジケーションは、ＣＳＩシグナリングのために前記無線デバイス１６によって使用されるように構成された複数のＣＳＩ−ＲＳリソース内の１以上のＣＳＩ−ＲＳリソースを示す。該送受信モジュール４９は、少なくとも１つのＣＳＩリソース上でＣＳＩシグナリングを実行するように構成される。
【００９１】
いくつかの実施形態では、基地局１４における方法は、チャネル状態情報参照信号（ＣＳＩ−ＲＳ）リソースのインジケーションをユーザ装置１６に送信することＳ１００を含み、該インジケーションは、ＣＳＩシグナリングのために前記ユーザ装置によって使用されるように構成された複数のＣＳＩ−ＲＳリソース内の１以上のＣＳＩ−ＲＳリソースを示す。
【００９２】
いくつかの実施形態では、基地局１４は、チャネル状態情報参照信号（ＣＳＩ−ＲＳ）リソースのインジケーションをユーザ装置１６に送信するように構成された送受信機２８を有し、該インジケーションは、ＣＳＩシグナリングのために前記ユーザ装置１６によって使用されるように構成された複数のＣＳＩ−ＲＳリソース内の１以上のＣＳＩ−ＲＳリソースを示す。
【００９３】
いくつかの実施形態では、チャネル状態情報参照信号（ＣＳＩ−ＲＳ）を構成する、基地局１４における方法。該方法は、少なくとも２つのＣＳＩ−ＲＳリソースを含む、ＣＳＩ−ＲＳリソース要素のセットを決定することＳ１０２を含む。該方法は、また、複数のＣＳＩ−ＲＳリソース要素を１つのリソースプール内のリソースに集約することＳ１０４を含む。
【００９４】
いくつかの実施形態では、チャネル状態情報参照信号（ＣＳＩ−ＲＳ）を構成する基地局１４。該基地局１４は、少なくとも２つのＣＳＩ−ＲＳリソースを含む、ＣＳＩ−ＲＳリソース要素のセットを決定し、複数のＣＳＩ−ＲＳリソース要素を１つのリソースプール内のリソースに集約する、ように構成された処理回路２２を有する。
【００９５】
いくつかの実施形態では、ユーザ装置１６における方法は、チャネル状態情報参照信号（ＣＳＩ−ＲＳ）リソースのインジケーションを受信することＳ１０６を含み、該インジケーションは、ＣＳＩシグナリングのために前記ユーザ装置１６によって使用されるように構成された複数のＣＳＩ−ＲＳリソース内の１以上のＣＳＩ−ＲＳリソースを示す。該方法は、少なくとも１つのＣＳＩリソース上でＣＳＩシグナリングを実行することを含む。
【００９６】
いくつかの実施形態では、ユーザ装置１６は、チャネル状態情報参照信号（ＣＳＩ−ＲＳ）リソースのインジケーションを受信し、該インジケーションは、ＣＳＩシグナリングのために前記ユーザ装置１６によって使用されるように構成された複数のＣＳＩ−ＲＳリソース内の１以上のＣＳＩ−ＲＳリソースを示し、少なくとも１つのＣＳＩリソース上でＣＳＩシグナリングを実行する、ように構成された送受信機４８を有する。
【００９７】
本開示を通して、「１より多い（more than one）」は「少なくとも２つ（at least two）」と解釈することができ、その逆もまた同様である。
【００９８】
当業者には理解されるように、本明細書に記載の概念は、方法、データ処理システム、および／またはコンピュータプログラム製品として実施することができる。したがって、本明細書に記載の概念は、完全にハードウェアの実施形態、完全にソフトウェアの実施形態、または本明細書で一般に「回路」または「モジュール」と呼ばれるソフトウェアおよびハードウェアの態様を組み合わせた実施形態の形をとり得る。更に、本開示は、コンピュータによって実行することができる媒体内に具現化されたコンピュータプログラムコードを有する有形のコンピュータ使用可能記憶媒体上のコンピュータプログラム製品の形をとり得る。ハードディスク、ＣＤ−ＲＯＭ、電子記憶装置、光記憶装置、または磁気記憶装置を含む任意の適切な有形のコンピュータ可読媒体を利用することができる。
【００９９】
いくつかの実施形態は、方法、システムおよびコンピュータプログラム製品のフローチャートおよび／またはブロック図を参照して本明細書で説明される。フローチャートおよび／またはブロック図の各ブロック、ならびにフローチャートおよび／またはブロック図のブロックの組み合わせは、コンピュータプログラム命令によって実施することができることが理解されよう。これらのコンピュータプログラム命令は、汎用コンピュータ（それによって専用コンピュータを作成）、専用コンピュータ、またはマシンを提供する他のプログラム可能なデータ処理装置のプロセッサに提供され、これにより、コンピュータまたは他のプログラム可能なデータ処理装置のプロセッサを介して実行される命令が、フローチャートおよび／またはブロック図の１以上のブロックにおいて指定された機能／動作を実施するための手段を生成することができる。
【０１００】
これらのコンピュータプログラム命令はまた、コンピュータまたは他のプログラム可能なデータ処理装置に特定の方法で機能するように指示することができるコンピュータ可読メモリまたは記憶媒体に格納することができ、これにより、コンピュータ可読メモリに格納された命令は、フローチャートおよび／またはブロック図の１以上のブロックで指定された機能／動作を実施する指示手段を含む製品を生成する。
【０１０１】
コンピュータプログラム命令はまた、コンピュータまたは他のプログラム可能データ処理装置にロードされて、コンピュータ実施プロセスを生成するためにコンピュータまたは他のプログラム可能装置上で一連の動作ステップが実行されるようにしてもよく、これにより、コンピュータまたは他のプログラム可能な装置上で実行される命令は、フローチャートおよび／またはブロック図の１以上のブロックで指定された機能／動作を実施するためのステップを提供する。
【０１０２】
ブロックに示されている機能／動作は、動作説明図に示されている順序とは異なる順序で行われてもよいことを理解されたい。例えば、関連する機能／動作に応じて、連続して示されている２つのブロックが実際には実質的に同時に実行されてもよく、あるいはブロックが時には逆の順序で実行されてもよい。いくつかの図は、通信の主方向を示すために通信経路上に矢印を含むが、通信は、描かれた矢印とは反対方向に起こり得ることを理解されたい。
【０１０３】
本明細書に記載の概念の動作を実行するためのコンピュータプログラムコードは、Ｊａｖａ（登録商標）またはＣ＋＋などのオブジェクト指向プログラミング言語で書くことができる。しかしながら、本開示の動作を実行するためのコンピュータプログラムコードはまた、「Ｃ」プログラミング言語などの従来の手続き型プログラミング言語で書かれ得る。プログラムコードは、完全にユーザのコンピュータ上、部分的にユーザのコンピュータ上、単独のソフトウェアパッケージとして、部分的にユーザのコンピュータ上、そして部分的にリモートコンピュータ上で、または全体的にリモートコンピュータ上で実行することができる。後者のシナリオでは、リモートコンピュータは、ローカルエリアネットワーク（ＬＡＮ）またはワイドエリアネットワーク（ＷＡＮ）あるいは（例えば、インターネットサービスプロバイダを使用したインターネットを介した）外部コンピュータを介してユーザのコンピュータに接続することができる。
【０１０４】
上記の説明および図面に関連して、多くの異なる実施形態が本明細書に開示されている。これらの実施形態のあらゆる組み合わせおよび部分的な組み合わせを文字通りに説明および例示することは、過度に反復的で分かりにくくなることが理解されよう。したがって、すべての実施形態は任意の方法および／または組み合わせで組み合わせることができ、図面を含む本明細書は、本明細書に記載の実施形態のすべての組み合わせおよびサブコンビネーションならびにそれらを作成し使用する方法およびプロセスの完全な書面による説明を構成すると解釈され、そのような組み合わせまたはサブコンビネーションに対する請求をサポートするものとする。
【０１０５】
本明細書に記載の実施形態は、本明細書の上記に具体的に示され記載されたものに限定されないことを当業者は理解するであろう。さらに、そうでないことが上記で言及されていない限り、添付の図面のすべてが一定の縮尺ではないことに留意されたい。添付の特許請求の範囲から逸脱することなく、上記の教示に照らして様々な修正形態および変形形態が可能である。
【図１】
2019533931.tif 000003
【図２】
2019533931.tif 000004
【図３】
2019533931.tif 000005
【図４】
2019533931.tif 000006
【図５】
2019533931.tif 000007
【図６】
2019533931.tif 000008
【図７】
2019533931.tif 000009
【図８】
2019533931.tif 000010
【図９】
2019533931.tif 000011
【図１０】
2019533931.tif 000012
【図１１】
2019533931.tif 000013
【図１２】
2019533931.tif 000014
【図１３】
2019533931.tif 000015
【図１４】
2019533931.tif 000016
【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
ネットワークノード（１４）における方法であって、
チャネル状態情報参照信号（ＣＳＩ−ＲＳ）リソースのインジケーションを無線デバイス（１６）に動的に送信すること（Ｓ１００）であって、該インジケーションは、ＣＳＩシグナリングのために前記無線デバイスによって使用されるように構成された複数のＣＳＩ−ＲＳリソース内の１以上のＣＳＩ−ＲＳリソースを示す、前記動的に送信すること（Ｓ１００）
を含む方法。
【請求項２】
ＣＳＩシグナリングのために前記無線デバイス（１６）によって使用されるように構成された前記複数のＣＳＩ−ＲＳリソースは、より上位のレイヤを介して構成される
請求項１に記載の方法。
【請求項３】
前記インジケーションは、ダウンリンク制御情報（ＤＣＩ）および媒体アクセス制御制御要素（ＭＡＣ  ＣＥ）シグナリングのうちの１つとともに送信される
請求項１又は２に記載の方法。
【請求項４】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項１又は２に記載の方法。
【請求項５】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項１又は２に記載の方法。
【請求項６】
前記無線デバイス（１６）に対して、異なるリソース要素の集合体の複数の異なるインジケーションが構成される
請求項４又は５に記載の方法。
【請求項７】
少なくとも２つの異なるリソース要素の集合体は、共通の少なくとも１ペアのＣＳＩ−ＲＳリソースを共有する
請求項４又は５に記載の方法。
【請求項８】
多数のリソースセットが、Ｎ個のＣＳＩ−ＲＳリソースのプールから構成される
請求項１乃至７の何れか１項に記載の方法。
【請求項９】
報告設定は、ＣＳＩ−ＲＳリソースのセットに適用可能なリソース設定に基づく
請求項１乃至７の何れか１項に記載の方法。
【請求項１０】
ネットワークノード（１４）であって、
チャネル状態情報参照信号（ＣＳＩ−ＲＳ）リソースのインジケーションを無線デバイス（１６）に動的に送信するように構成された送受信機（２８）であって、該インジケーションは、ＣＳＩシグナリングのために前記無線デバイス（１６）によって使用されるように構成された複数のＣＳＩ−ＲＳリソース内の１以上のＣＳＩ−ＲＳリソースを示す、前記送受信機（２８）
を有するネットワークノード（１４）。
【請求項１１】
ＣＳＩシグナリングのために前記無線デバイス（１６）によって使用されるように構成された前記複数のＣＳＩ−ＲＳリソースは、より上位のレイヤを介して構成される
請求項１０に記載のネットワークノード（１４）。
【請求項１２】
前記インジケーションは、ダウンリンク制御情報（ＤＣＩ）および媒体アクセス制御制御要素（ＭＡＣ  ＣＥ）シグナリングのうちの１つとともに送信される
請求項１０又は１１に記載のネットワークノード（１４）。
【請求項１３】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項１０又は１１に記載のネットワークノード（１４）。
【請求項１４】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項１０又は１１に記載のネットワークノード（１４）。
【請求項１５】
前記無線デバイス（１６）に対して、異なるリソース要素の集合体の複数の異なるインジケーションが構成される
請求項１３又は１４に記載のネットワークノード（１４）。
【請求項１６】
少なくとも２つの異なるリソース要素の集合体は、共通の少なくとも１ペアのＣＳＩ−ＲＳリソースを共有する
請求項１３又は１４に記載のネットワークノード（１４）。
【請求項１７】
多数のリソースセットが、Ｎ個のＣＳＩ−ＲＳリソースのプールから構成される
請求項１０乃至１６の何れか１項に記載のネットワークノード（１４）。
【請求項１８】
報告設定は、ＣＳＩ−ＲＳリソースのセットに適用可能なリソース設定に基づく
請求項１０乃至１７の何れか１項に記載のネットワークノード（１４）。
【請求項１９】
ネットワークノード（１４）であって、
チャネル状態情報参照信号（ＣＳＩ−ＲＳ）リソースのインジケーションを無線デバイス（１６）に動的に送信するように構成された送受信モジュール（２９）であって、該インジケーションは、ＣＳＩシグナリングのために前記無線デバイス（１６）によって使用されるように構成された複数のＣＳＩ−ＲＳリソース内の１以上のＣＳＩ−ＲＳリソースを示す、前記送受信モジュール（２９）
を有するネットワークノード（１４）。
【請求項２０】
チャネル状態情報参照信号（ＣＳＩ−ＲＳ）を構成する、ネットワークノード（１４）における方法であって、
少なくとも２つのＣＳＩ−ＲＳリソースを含む、ＣＳＩ−ＲＳリソース要素のセットを決定すること（Ｓ１０２）と、
複数のＣＳＩ−ＲＳリソース要素を１つのリソースプール内のリソースに集約すること（Ｓ１０４）と、
を含む方法。
【請求項２１】
ＣＳＩシグナリングのために無線デバイス（１６）によって使用されるように構成された前記複数のＣＳＩ−ＲＳリソース要素は、より上位のレイヤを介して構成される
請求項２０に記載の方法。
【請求項２２】
ＣＳＩ−ＲＳリソース要素の集合体を無線デバイス（１６）に示すことを更に含む
請求項２０に記載の方法。
【請求項２３】
前記示すことは、動的なシグナリングによる
請求項２２に記載の方法。
【請求項２４】
前記示すことは、ダウンリンク制御情報（ＤＣＩ）による
請求項２２に記載の方法。
【請求項２５】
ＣＳＩ−ＲＳリソース要素の前記セットはセル固有のビーム掃引のために複数の無線デバイス（１６）をサポートし、それによって該複数の無線デバイス（１６）は同じビームを測定する
請求項２０乃至２４の何れか１項に記載の方法。
【請求項２６】
異なる無線デバイス（１６）の各々が異なるビーム上でチャネルを測定することを可能にするために、ＣＳＩ−ＲＳリソース要素の異なるセットが前記異なる無線デバイス（１６）に示される
請求項２０乃至２４の何れか１項に記載の方法。
【請求項２７】
チャネル状態情報参照信号（ＣＳＩ−ＲＳ）を構成するネットワークノード（１４）であって、
少なくとも２つのＣＳＩ−ＲＳリソースを含む、ＣＳＩ−ＲＳリソース要素のセットを決定し、
複数のＣＳＩ−ＲＳリソース要素を１つのリソースプール内のリソースに集約する、
ように構成された処理回路（２２）
を有するネットワークノード（１４）。
【請求項２８】
ＣＳＩシグナリングのために無線デバイス（１６）によって使用されるように構成された前記複数のＣＳＩ−ＲＳリソース要素は、より上位のレイヤを介して構成される
請求項２７に記載のネットワークノード（１４）。
【請求項２９】
ＣＳＩ−ＲＳリソース要素の集合体を無線デバイス（１６）に示すことを更に有する
請求項２８に記載のネットワークノード（１４）。
【請求項３０】
前記示すことは、動的なシグナリングによる
請求項２９に記載のネットワークノード（１４）。
【請求項３１】
前記示すことは、ダウンリンク制御情報（ＤＣＩ）による
請求項２９又は３０に記載のネットワークノード（１４）。
【請求項３２】
ＣＳＩ−ＲＳリソース要素の前記セットはセル固有のビーム掃引のために複数の無線デバイス（１６）をサポートし、それによって該複数の無線デバイス（１６）は同じビームを測定する
請求項２７乃至３１の何れか１項に記載のネットワークノード（１４）。
【請求項３３】
異なる無線デバイス（１６）の各々が異なるビーム上でチャネルを測定することを可能にするために、ＣＳＩ−ＲＳリソース要素の異なるセットが前記異なる無線デバイス（１６）に示される
請求項２７乃至３１の何れか１項に記載のネットワークノード（１４）。
【請求項３４】
チャネル状態情報参照信号（ＣＳＩ−ＲＳ）を構成するネットワークノード（１４）であって、
少なくとも２つのＣＳＩ−ＲＳリソースを含む、ＣＳＩ−ＲＳリソース要素のセットを決定するように構成されたＣＳＩ−ＲＳリソースプール決定モジュール（１９）と、
複数のＣＳＩ−ＲＳリソース要素を１つのリソースプール内のリソースに集約するように構成された集約モジュール（２１）と、
を有するネットワークノード（１４）。
【請求項３５】
無線デバイス（１６）における方法であって、
チャネル状態情報参照信号（ＣＳＩ−ＲＳ）リソースの動的なインジケーションを受信すること（Ｓ１０６）であって、該インジケーションは、ＣＳＩシグナリングのために前記無線デバイス（１６）によって使用されるように構成された複数のＣＳＩ−ＲＳリソース内の１以上のＣＳＩ−ＲＳリソースを示す、前記受信すること（Ｓ１０６）と、
少なくとも１つのＣＳＩリソース上でＣＳＩシグナリングを実行すること（Ｓ１０８）と、
を含む方法。
【請求項３６】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項３５に記載の方法。
【請求項３７】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項３５に記載の方法。
【請求項３８】
無線デバイス（１６）であって、
チャネル状態情報参照信号（ＣＳＩ−ＲＳ）リソースの動的なインジケーションを受信し、該インジケーションは、ＣＳＩシグナリングのために前記無線デバイス（１６）によって使用されるように構成された複数のＣＳＩ−ＲＳリソース内の１以上のＣＳＩ−ＲＳリソースを示し、
少なくとも１つのＣＳＩリソース上でＣＳＩシグナリングを実行する、
ように構成された送受信機（４８）
を有する無線デバイス（１６）。
【請求項３９】
前記インジケーションは、時間的に連続する２つの直交周波数分割多重（ＯＦＤＭ）シンボルを示し、該時間的に連続する２つのＯＦＤＭシンボルの各々は、リソース要素を形成するために２つのポートのうちの少なくとも１つに関連付けられている
請求項３８に記載の無線デバイス（１６）。
【請求項４０】
前記インジケーションは、１つの直交周波数分割多重（ＯＦＤＭ）シンボルを形成する連続した２つの周波数ユニットを示し、該２つの周波数ユニットの各々は、リソース要素を形成するために２つのポートのうちの少なくとも１つに関連付けられている
請求項３８に記載の無線デバイス（１６）。
【請求項４１】
無線デバイス（１６）であって、
チャネル状態情報参照信号（ＣＳＩ−ＲＳ）リソースの動的なインジケーションを受信し、該インジケーションは、ＣＳＩシグナリングのために前記無線デバイス（１６）によって使用されるように構成された複数のＣＳＩ−ＲＳリソース内の１以上のＣＳＩ−ＲＳリソースを示し、
少なくとも１つのＣＳＩリソース上でＣＳＩシグナリングを実行する、
ように構成された送受信モジュール（４９）
を有する無線デバイス（１６）。
【請求項４２】
基地局（１４）における方法であって、
チャネル状態情報参照信号（ＣＳＩ−ＲＳ）リソースのインジケーションをユーザ装置（１６）に動的に送信すること（Ｓ１００）であって、該インジケーションは、ＣＳＩシグナリングのために前記ユーザ装置（１６）によって使用されるように構成された複数のＣＳＩ−ＲＳリソース内の１以上のＣＳＩ−ＲＳリソースを示す、前記動的に送信すること
を含む方法。
【請求項４３】
基地局（１４）であって、
チャネル状態情報参照信号（ＣＳＩ−ＲＳ）リソースのインジケーションをユーザ装置（１６）に動的に送信するように構成された送受信機（２８）であって、該インジケーションは、ＣＳＩシグナリングのために前記ユーザ装置（１６）によって使用されるように構成された複数のＣＳＩ−ＲＳリソース内の１以上のＣＳＩ−ＲＳリソースを示す、前記送受信機（２８）
を有する基地局（１４）。
【請求項４４】
チャネル状態情報参照信号（ＣＳＩ−ＲＳ）を構成する、基地局（１４）における方法であって、
少なくとも２つのＣＳＩ−ＲＳリソースを含む、ＣＳＩ−ＲＳリソース要素のセットを決定することと、
複数のＣＳＩ−ＲＳリソース要素を１つのリソースプール内のリソースに集約することと、
を含む方法。
【請求項４５】
チャネル状態情報参照信号（ＣＳＩ−ＲＳ）を構成する基地局（１４）であって、
少なくとも２つのＣＳＩ−ＲＳリソースを含む、ＣＳＩ−ＲＳリソース要素のセットを決定し、
複数のＣＳＩ−ＲＳリソース要素を１つのリソースプール内のリソースに集約する、
ように構成された処理回路（２２）
を有する基地局（１４）。
【請求項４６】
ユーザ装置（１６）における方法であって、
チャネル状態情報参照信号（ＣＳＩ−ＲＳ）リソースの動的なインジケーションを受信すること（Ｓ１０６）であって、該インジケーションは、ＣＳＩシグナリングのために前記ユーザ装置によって使用されるように構成された複数のＣＳＩ−ＲＳリソース内の１以上のＣＳＩ−ＲＳリソースを示す、前記受信すること（Ｓ１０６）と、
少なくとも１つのＣＳＩリソース上でＣＳＩシグナリングを実行すること（Ｓ１０８）と、
を含む方法。
【請求項４７】
ユーザ装置（１６）であって、
チャネル状態情報参照信号（ＣＳＩ−ＲＳ）リソースの動的なインジケーションを受信し、該インジケーションは、ＣＳＩシグナリングのために前記ユーザ装置によって使用されるように構成された複数のＣＳＩ−ＲＳリソース内の１以上のＣＳＩ−ＲＳリソースを示し、
少なくとも１つのＣＳＩリソース上でＣＳＩシグナリングを実行する、
ように構成された送受信機（４８）
を有するユーザ装置（１６）。
【国際調査報告】
2019533931.tif 000017
2019533931.tif 000018
2019533931.tif 000019
2019533931.tif 000020
2019533931.tif 000021